(57)【特許請求の範囲】
【請求項１】
ステンレス板等よりなる円筒状の陰極体と、この底面を覆う水出口を有する下蓋体と、この内部に充填した濾材と、この濾材上部に陰極体内周壁と適宜な隙間を設けて配設される陽極体と、水入り口を設けた上蓋体と、この上蓋体裏面に固定した支持部材と、前記陰極体と陽極体間への通電手段とを有し、前記陽極体をアルミニウム塊よりなる円柱体とし、この中心部を前記支持部材に締結してなる濾過槽を有する浴槽水の浄化装置。
【請求項２】
陽極体と陰極体間に、この陽極体および陰極体表面の付着物を除去する再生手段を備えた濾過槽を有する請求項１記載の浴槽水の浄化装置。
【請求項３】
陽極体と陰極体間に、フロート部材を設け、このフロート部材の最小外寸法を陽極体下面と濾材表面間の隙間よりも大とした濾過槽を有する請求項１または２記載の浴槽水の浄化装置。
【請求項４】
陽極体の上下面に樹脂製の網体を固定し、この網体間に複数個のフロート部材を備えた濾過槽を有する請求項１または２記載の浴槽水の浄化装置。
【請求項５】
円筒状の外装筐体と、この底面を覆う水出口を有する下蓋体と、この内部に充填した濾材と、この濾材上部に円筒状のステンレス板よりなる陰極体と、この陰極体内周壁と適宜な隙間を設けて配設される陽極体と、水入り口を設け外装筐体にねじ等で固定される上蓋体とを有し、前記陰極体および陽極体をそれぞれ上蓋体裏面に固定した濾過槽を有する浴槽水の浄化装置。
【発明の詳細な説明】
【０００１】
【発明の属する技術分野】
本発明は、浴槽水の浄化手段を有する浴槽水の浄化装置に関する。
【０００２】
【従来の技術】
従来この種の浴槽水の浄化装置の濾過槽１は、図９に示すように、底部に濾過床２および粒状の濾材３と、上蓋４に端子棒５で固定したアルミニウム円筒体６と、この外周を覆うステンレス製の外装筐体７よりなり、前記アルミニウム円筒体６を陽極とし、外周筐体７を陰極となるように電圧を加え、２０〜３００mAの電流を流して電気分解によりアルミニウムイオンを溶出させ、浴槽水中の水酸基と反応することにより水酸化アルミを生成し、これが浴槽水中の汚れ成分（垢や細菌、異物等）を凝集し、濾材３で濾過されるとともに、濾材３表面に凝集層が形成され、この凝集層が濾過作用を奏するようにした構成であった。
【０００３】
【発明が解決しようとする課題】
しかしながら上記従来の構成では、アルミニウム円筒体６の内外周面に沿って通水されるが、アルミニウム質量は電気分解により電気量（電流×時間）に比例してこの表面から減量するものであり、最終的には薄肉部である陽極端子の締結が不安定となり脱落する恐れがあった。
【０００４】
また一般にこの種の構成ではアルミニウム円筒体６と外装筐体７間、すなわち極間距離を小さくできるため当初は低電圧で所定の電流値が得られ安全であるが、徐々にアルミニウム表面に堆積した水酸化アルミ等によりこの間の通水が少なくなり、さらにこの現象が加速的に進行し最終的には閉塞状態になって所定の電流が得られなくなる。または逆に過大な電圧を供給する必要があった。
【０００５】
このため耐久性を確保するためには上述した極間距離とアルミニウム質量の確保が条件となるため大型で高コストの濾過槽を必要とした。
【０００６】
【課題を解決するための手段】
上記の課題を解決するために本発明は陽極体をアルミニウム塊よりなる円柱体とし、この中心部を支持板に締結して上蓋体と固定したため陽極体の脱落の恐れがなく、また小型化が可能となり耐久性も向上する。
【０００７】
【発明の実施の形態】
上記の課題を解決するために本発明の請求項１では、ステンレス板等よりなる円筒状の陰極体と、この底面を覆う水出口を有する下蓋体とこの内部に充填した濾材と、この濾材上部に陰極体内周壁と適宜な隙間を設けて配設される陽極体と水入り口を設けた上蓋体と、この上蓋体裏面に固定した支部材と、前記陰極体と陽極体間への通電手段とを有し、前記陽極体をアルミニウム塊よりなる円柱体としこの中心部を前記支持部材に締結したものである。
【０００８】
そして、上記構成によればアルミニウムイオン濃度の高い極間のみ通水されることになり、通過水へのアルミニウムイオンの混入が大となるとともに、陽極体はこの中心部で固定されているため電気分解によりアルミニウムが極限まで減量しても脱落の恐れがない。
【０００９】
また本発明の請求項１では、陽極体と陰極体間に、この陽極体および陰極体表面の再生手段を有するものであり、陽極体および陰極体表面の付着、堆積物質を除去し常に安定した電流が供給される。
【００１０】
また本発明の請求項３は、陽極体と陰極体間に、角部を有するフロート部材を設けたものである。
【００１１】
また本発明の請求項４は、陽極体の上下面に樹脂製の網体を固定し、この網体間に複数個のフロート部材を備えることにより、フロート部材が常に陽極体外周面およびこれと対向する陰極体内周面間に位置し、さらに有効な再生が可能となる。
【００１２】
また本発明本発明の請求項５は、円筒状の外装筐体と、この底面を覆う水出口を有する下蓋体とこの内部に充填した濾材と、この濾材上部に円筒状のステンレス板よりなる陰極体と、この陰極体内周壁と適宜な隙間を設けて配設される陽極体と、水入り口を設け外装筐体にねじ等で固定される上蓋体とを有し、前記陰極体および陽極体をそれぞれ上蓋体裏面に固定したため、上蓋体を取り外すことにより容易に陽極体および陰極体を交換修復できるためサービス性に優れる。
【００１３】
【実施例】
以下、本発明の実施例を図面を参照して説明する。
【００１４】
（実施例１）
図１において、水は水入口より水温センサ１１、水量センサ１２を通り、給湯熱交換器１３で熱を吸収して、給湯センサ１４、水量制御弁１５を通り、湯出口より給湯される。ガスはガス入口より給湯元電磁弁１６、ガスの給湯比例弁１７を通り、給湯バーナ１８で燃焼される。
【００１５】
浴槽水は循環ポンプ１９により、風呂接続アダプタ２０、戻り通路２１、水位センサ２２、切替三方弁２３、風呂センサ２４、水流スイッチ２５、バイパス三方弁２６、風呂熱交換器２７、上部循環回路２８、排水三方弁２９、濾過槽４０、正逆三方弁３１、往き通路３２、風呂接続アダプタ２０と循環する。
【００１６】
浴槽水の風呂センサ２４で検出する温度が低下したときには、ガスがガスの風呂元電磁弁３３、風呂比例弁３４を通り、風呂バーナ３５で燃焼し、風呂熱交換器２７で熱を吸収して、浴槽水の追い焚きを行う。
【００１７】
また浴槽の循環水を下部往き通路３６から正逆三方弁３１、濾過槽４０、排水三方弁２９、排水口へと流して濾過槽４０内の異物を外部に放出する逆洗浄機能を有する。
【００１８】
上記構成において、濾過槽４０は、図２に示すように上面に濾過槽入口４１を有する耐熱樹脂製の上蓋体４２と濾過槽出口４３を有する耐熱樹脂製の下蓋体４４およびステンレス製の円筒状の陰極体４５により密閉容器を形成し、この容器内底面に濾過床４６、セラミッックス製の粒状濾材４７を有している。４８、４９はステンレス製のバッフル円板である。
【００１９】
５０は純アルミニウム塊よりなる陽極体であり、中心部が支持板５１にボルト５２で固定され、この支持板５１は陽極端子５３により上蓋体４２に取り付けられている。この陽極端子５３および前記陰極体４５間には定電流回路を有する通電手段により所定の直流電流が供給される。
【００２０】
この時電気分解により陽極体５０表面より溶出するアルミニウムイオン（＋イオン）は水中の水酸基（ーイオン）と反応し水酸化アルミを生成し、この水酸化アルミが水中の汚れ成分を凝集し、大型の粒子となり濾材４７で濾過されるとともに濾材４７表面に凝集層を形成して、この凝集層自体が濾過に寄与する。
【００２１】
したがって供給電流（電圧）が大きい程アルミニウムイオンが溶出しやすくなり水酸化アルミの生成量が増大するが、一方生成された水酸化アルミが陽極体５０表面に付着し堆積しやすくなるため、陽極体５０および陰極体４５間の距離や通過流量により適正な電流値を設定する必要がある。本発明では最大３００mAの通電が可能としてある。
【００２２】
また電気分解により陽極体５０のアルミニウムは、外周表面部より電流値および通電時間に比例して減量していくため、陽極体５０中心部でねじ締結して支持してある。
【００２３】
（実施例２）
本発明の第２の実施例について説明する。図３は濾過槽６０であり、その他の浴槽水の浄化装置の構成は第１の実施例の図１に同じである。６１は複数個のフロート部材であり、例えば図４に示すようにステンレス製の管体の両端をつぶして角部６２を設けたものであり、比重が０．９以上１．０以下にして濾過槽６０に水が充満した状態で陽極体６３および陰極体６４間に浮遊するようにしたものである。６５は濾材を示す。その他の濾過槽の構成は第１の実施例の図２に同じである。
【００２４】
上記の構成において浴槽水の循環時、濾過槽６０内でのわずかな流量変化によってフロート部材６１が攪乱運動し、この角部６２が陽極体６３表面および陰極体内周表面に付着する水酸化アルミやスケール、異物等をこすり剥離させる作用がある。これは濾過槽６０内の逆洗浄時においても同様の作用をする。
【００２５】
またこのフロート部材６１の最小辺寸法Aは濾材６５表面と陽極体６３下面の隙間Ｂよりも大として、フロート部材６１が攪乱運動して陽極体６３下面に入り込んで保持されるのを防止してある。このため陽極体６３および陰極体６４表面は絶えず剥離再生される。
【００２６】
また剥離された水酸化アルミ等は濾材表面に凝集層を形成し、濾過効果を促進する。本発明ではフロート部材を金属管としたがポリプロピレン等の樹脂製でもよく、要は水中で容易に攪乱運動し、かつ鋭利な角部を設けるのがよい。
【００２７】
（実施例３）
本発明の第３の実施例について説明する。図５は濾過槽７０であり、その他の浴槽水の浄化装置の構成は第１の実施例の図１に同じである。７１は複数個のフロート部材であり第２の実施例の図４に同じである。７３は陽極体７２上下面に固定されたポリプロピレン樹脂で成型した網体であり、この網体７３間に複数個のフロート部材７１を配設してある。その他の濾過槽の構成は第１の実施例の図２に同じである。
【００２８】
上記構成で明らかなようにフロート部材７１は、網体７３により攪乱運動範囲が規制されてるため、より確実に陽極体７２外周表面および陰極体７４内周表面に付着する水酸化アルミやスケール、異物等をこすり剥離させることができる。
【００２９】
また複数個のフロート部材７１間に多少の比重差があっても有効に作用する。本発明では網体７３としたが板材に複数個の透孔を設けたものでもよい。また網体７３は表面に樹脂コーティング等を施し陰極体７４と電気絶縁した金属体でもよい。
【００３０】
（実施例４）
本発明の第４の実施例について説明する。図６は濾過槽８０であり、その他の浴槽水の浄化装置の構成は第１の実施例の図１に同じである。この濾過槽８０は、上面に濾過槽入口８１を有する耐熱樹脂製の上蓋体８２と濾過槽出口８３を有する耐熱樹脂製の下蓋体８４および円筒状の外装筐体８５により密閉容器を形成し、この容器内底面に濾過床８６、セラミッックス製の粒状濾材８７を有している。８９はステンレス製のバッフル円板である。９０は純アルミニウム塊よりなる陽極体であり、中心部が支持板９１にボルト９２で固定され、この支持板９１は陽極端子９３により上蓋体８２に取り付けられている。９４は複数個の取り付け孔９５（図７）を形成したステンレス製の円筒状の陰極体であり、陰極端子９６により上蓋体８２に固定されている。９７は上蓋体８２と外装筐体８５を固定する取り付けねじである。
【００３１】
前記陽極端子９３および陰極端子９６間には定電流回路を有する通電手段により所定の直流電流が供給される。この時陽極体９０表面より溶出するアルミニウムイオン（＋イオン）は水中の水酸基（−イオン）と反応し水酸化アルミを生成し、この水酸化アルミが水中の汚れ成分を凝集し、大型の粒子となり濾材８７で濾過されるとともに濾材８７表面に凝集層を形成して、この凝集層自体が濾過に寄与する。
【００３２】
一般にこの種の濾過槽においては、濾材８７や濾過床８６は逆洗浄機能により常時再生されるため半永久的に効果を維持するものであるが、陽極体９０および陰極体８５はこの表面に水酸化アルミ等が付着堆積して有効な凝集層が形成されなくなり浄化効果が低下してくるため数年毎に濾過槽を新品交換する必要があるが、上記構成で明らかなように本発明では陽極体９０および陰極体９４はいずれも上蓋体８２に固定されており取り付けねじ９７を外すことにより分離できるようになっている。したがって濾過槽全体を交換する必要がなく、低コストにして容易に補修が可能となる。
【００３３】
【発明の効果】
本発明によれば、陽極体を円柱体としかつこの中心部で固定支持されるため小型で高寿命の濾過槽が実現できる。また陽極体と陰極体間の寸法が確保しやすくなるため、この間に再生手段を設けることにりさらに安定した浄化作用が持続でき高寿命化がはかれる。また陽極体と陰極体間にフロート部材を設けることにより陽極体と陰極体表面が再生される。  また陽極体上下面に網体を設けてフロート部材の攪乱範囲を規制することにより、必要部のみ有効に再生される。また上蓋体に陽極体および陰極体を固定した構成により、上蓋体を外して交換することにより、陽極体および陰極体が新品再生できるため、補修コストおよび補修性の優れた濾過槽を供給することができる。
【図面の簡単な説明】
【図１】本発明の実施例１を示す浴槽水の浄化装置の構成図
【図２】本発明の実施例１を示す浴槽水の浄化装置の濾過槽の断面図
【図３】本発明の実施例２を示す浴槽水の浄化装置の濾過槽の断面図
【図４】本発明の実施例２を示す浴槽水の浄化装置のフロート部材の斜視図
【図５】本発明の実施例３を示す浴槽水の浄化装置の濾過槽の断面図
【図６】本発明の実施例４を示す浴槽水の浄化装置の陰極体の斜視図
【図７】本発明の実施例４を示す浴槽水の浄化装置の濾過槽の分解断面図
【図８】本発明の実施例４を示す浴槽水の浄化装置の陰極体の斜視図
【図９】従来の浴槽水の浄化装置の濾過槽の断面図
【符号の説明】
４０、６０、７０、８０  濾過槽
４１、８１  水入り口
４２、８２  上蓋体
４３、８３  水出口
４４、８４  下蓋体
４５、６４、７４、９４  陰極体
４７、６５、８７  濾材
５０、６３、７２、９０  陽極体
５１、９１  支持部材
６１、７１  フロート部材
７３  網体
８５  外装筐体
【図１】
0003861423.tif 000002
【図２】
0003861423.tif 000003
【図３】
0003861423.tif 000004
【図４】
0003861423.tif 000005
【図５】
0003861423.tif 000006
【図６】
0003861423.tif 000007
【図７】
0003861423.tif 000008
【図８】
0003861423.tif 000009
【図９】
0003861423.tif 000010